(57)【要約】      （修正有）【課題】型成形部に対して特にスリットを形成することなく優れた防水機能を発揮しうるドアウェザーストリップを提供する。【解決手段】自動車のルーフ側のドアサッシュの上部に沿って取付けられる上部押出成形部７の端部にドアコーナー部で接続されかつ型成形用の中芯を取出すためのスリットが形成されていない型成形部９に、ドアサッシュの垂直部に沿って取付けられる下部押出成形部８の上端部を脱着可能に差し込み、上部押出成形部７、型成形部９、下部押出成形部８には、基底部１１と、それに一体成形されドア閉時にボディ側のドア開口周縁部に弾接する中空シール部１２が形成され、ルーフ側に位置する型成形部９の基底部１１に対して車内側から車外側に延びさらにドアサッシュの垂直部側に位置する型成形部９の部位の車外側に沿って下降するように連続して延びるシールビード３０を一体成形してなる。【選択図】図２
2014061875.tif 000002
【特許請求の範囲】
【請求項１】
自動車のルーフ側のドアサッシュ又はドアパネルの上部に沿って取付けられる上部押出成形部の端部にドアコーナー部で接続された型成形部に対して、ドアサッシュ又はドアパネルの垂直部に沿って取付けられる下部押出成形部の上端部を脱着可能に差し込み、前記上部押出成形部、型成形部、及び下部押出成形部には、基底部と、その基底部に一体成形されドア閉時にボディ側のドア開口周縁部に弾接する中空シール部が形成されたドアウェザーストリップであって、
前記ルーフ側に位置する前記型成形部の基底部に対して車内側から車外側に延びさらに前記ドアサッシュ又はドアパネルの垂直部側に位置する前記型成形部の部位の車外側に沿って下降するように連続して延びるシールビード又はリップを型成形用の中芯を取出すためのスリットにより断絶することなく一体成形してなることを特徴とするドアウェザーストリップ。
【請求項２】
前記シールビード又はリップは、前記ドアサッシュ又はドアパネルの垂直部側に位置する前記型成形部の部位では、前記型成形部に差し込まれた前記下部押出成形部より外周側に形成されていることを特徴とする請求項１に記載のドアウェザーストリップ。
【請求項３】
前記シールビード又はリップは、前記型成形状の下端まで連続して延びることを特徴とする請求項１又は２に記載のドアウェザーストリップ。
【請求項４】
前記型成形部は、その基底部において、その角から前記下部押出成形部側に延びる面に前記スリットが設けられていることを特徴とする前記請求項１乃至３のうちいずれか一つに記載のドアウェザーストリップ。
【請求項５】
前記型成形部は、その基底部において、その角から前記下部押出成形部側に延びる面のみに前記スリットが設けられていることを特徴とする前記請求項１乃至３のうちいずれか一つに記載のドアウェザーストリップ。
【請求項６】
前記型成形部には型成形用の中芯を取出すためのスリットが形成されていないことを特徴とする前記請求項１乃至３のうちいずれか一つに記載のドアウェザーストリップ。
【請求項７】
前記型成形部は、その角から前記上部押出成形部側に延びる長さよりも、前記角から前記下部押出成形部側に延びる長さの方が長いことを特徴とする前記請求項１乃至６のうちいずれか一つに記載のドアウェザーストリップ。
【請求項８】
前記型成形部の中空シール部と基底部の間にブリッジを設けたことを特徴とする前記請求項１乃至７のうちいずれか一つに記載のドアウェザーストリップ。
【発明の詳細な説明】
【技術分野】
【０００１】
本発明は、自動車のドアサッシュ又はドアパネルに取付けられ、ドアの閉時にはボディ側のドア開口周縁部に弾接して車内外をシールするドアウェザーストリップに関するものである。
【背景技術】
【０００２】
従来、図７に示すように、ドアサッシュ３，４の外周側にはドア１，２の閉時にボディ（ボディパネル１００）との隙間をシールするドアウェザーストリップ６が取付けられている。
このうちフロントドア１側のドアウェザーストリップ６を例にとって説明すると、ドアウェザーストリップ６は、図８及び図９に示すように、自動車のルーフ側の（ルーフに対向する）ドアサッシュ３（ドアパネルの一部として呼称される場合もある）の上部に沿って取付けられる上部押出成形部７と、垂直方向に延びるセンターピラー側の（センターピラーに対向する）ドアサッシュ３の垂直部に沿って取付けられる下部押出成形部８とが、各々接続するコーナー部Ｘにおいて型成形接続されてなるものである。図８における斜線は、上部押出成形部７と下部押出成形部８とを型成形接続する型成形部９を示す。また、図９においては、それに記載した二つの白黒三角印の黒側を型成形部９、白側を押出成形部（上部押出成形部７及び下部押出成形部８）としている。
【０００３】
上部押出成形部７、型成形部９及び下部押出成形部８には、図１０に示すように、いずれにも、基底部１１と中空シール部１２が形成されている。
中空シール部１２は、ドア閉時にボディパネル１００のドア開口周縁部に弾接して車内外をシールするメインシールとして機能する。また、中空シール部１２の車外側かつ基底部１１の外方には、ボディパネル１００のドア開口周縁部に弾接するサブシール部１３が形成されており、中空シール部１２の補助シールとして機能する。
また、型成形部９にはヒレ片１４が形成され、クリップを介してドアサッシュ３に取付けられる。
【０００４】
このようなドアウェザーストリップ６の型成形部９を製造するときには中芯（図示しない）の使用が不可欠であり、そのため型成形部９の基底部１１にはその中芯取出用のスリット１５を設定する必要がある。なお、場合によっては、押出成形部７，８にもスリットが設定されることもある。
【０００５】
しかし、スリット１５があるとシール切れするため、スリット１５を車内側から車外側にかけて横断するようにシールビードを設けて型成形部９内で車外側に向けて排水する構造をとることはできない。これは、スリット１５を横断するように車内側から車外側へかけてシールビードを設けると、スリット１５によって分断された部位でシール切れを起こす恐れがあるからである。なお、車内側及び車外側からそれぞれスリット１５に近づくシールビードを設けた後、スリット１５を部分的に接着してシールビードを連続的にすることが考えられるが、端面同士を精度よくしかもきれいに突き合せることは技術的に至難であるとともに、接着剤の使用による工数と費用が発生してしまう。そこで、例えば、日東電工株式会社の製品「エプトシーラー（登録商標）」などの発泡シール材を仕上げ加工によって型成形部９に別付けすることもあるが、この場合には手作業での貼り付けとなるため、貼り付け位置にバラツキが発生し易くなるためシール性が低下するといった問題があり、その上、コスト高にもなる。
【０００６】
また、スリット１５があると、図１１に示すように、型成形部９の中空シール部１２及びサブシール部１３がボディパネル１００に弾接したときに中空シール部１２とサブシール部１３との連結部や、サブシール部１３の先端部が基底部１１側に落ち込んだり、中空シール部１２が車内側に潜り込んだりしてシール性が悪化し、外観上見栄えも悪くなるといった問題がある。
【０００７】
なお、型成形部に対して押出成形部の一端を抜差し可能に差込む構成にすることで取付け時の捩れを防止したものが開示されている（例えば、特許文献１参照）が、ドアサッシュに対する型成形部の取付け面側の構成の記載はなく、それに加えて、シールビードを設けることによってシール機能を向上させる点についての記載も何ら開示されていない。
【先行技術文献】
【特許文献】
【０００８】
【特許文献１】特開２００８−２５４５６２号公報
【発明の概要】
【発明が解決しようとする課題】
【０００９】
そこで、本発明の目的とするところは、型成形部に対して特にスリットを形成することなく優れた防水機能を発揮しうるドアウェザーストリップを提供することにある。
【課題を解決するための手段】
【００１０】
上記の目的を達成するために、本発明のドアウェザーストリップは、自動車のルーフ側のドアサッシュ（３）又はドアパネルの上部に沿って取付けられる上部押出成形部（７）の端部にドアコーナー部（Ｘ）で接続された型成形部（９）に対して、ドアサッシュ（３）又はドアパネルの垂直部に沿って取付けられる下部押出成形部（８）の上端部を脱着可能に差し込み、前記上部押出成形部（７）、型成形部（９）、及び下部押出成形部（８）には、基底部（１１）と、その基底部（１１）に一体成形されドア（１）閉時にボディ側のドア開口周縁部に弾接する中空シール部（１２）が形成されたドアウェザーストリップ（６）であって、
前記ルーフ側に位置する前記型成形部（９）の基底部（１１）に対して車内側から車外側に延びさらに前記ドアサッシュ（３）又はドアパネルの垂直部側に位置する前記型成形部（９）の部位の車外側に沿って下降するように連続して延びるシールビード（３０）又はリップを型成形用の中芯を取出すためのスリットにより断絶することなく一体成形してなることを特徴とする。
ここで、型成形部（９）には、その基底部（１１）において、その角から前記下部押出成形部（８）側に延びる面に、またはその面のみに前記スリットが設けられているようにしてもよく、あるいは、型成形部（９）に対しては、型成形用の中芯を取出すためのスリットを形成しないようにしてもよい。
【００１１】
また本発明は、前記シールビード（３０）又はリップは、前記ドアサッシュ（３）又はドアパネルの垂直部側に位置する前記型成形部（９）の部位では、前記型成形部（９）に差し込まれた前記下部押出成形部（８）より外周側に形成されていることを特徴とする。
【００１２】
さらに本発明は、前記シールビード（３０）又はリップは、前記型成形状（９）の下端まで連続して延びることを特徴とする。
【００１３】
また本発明は、前記型成形部（９）は、その角から前記上部押出成形部（７）側に延びる長さ（ｍ）よりも、前記角から前記下部押出成形部（８）側に延びる長さ（ｎ）の方が長いことを特徴とする。
【００１４】
また本発明は、前記型成形部（９）の中空シール部（１２）と基底部（１１）の間にブリッジ（３１）を設けたことを特徴とする。
【００１５】
なお、「ドアサッシュ（３）又はドアパネル」の記載は、窓枠となる部分を「ドアサッシュ」と呼称する場合に加えてその窓枠となる部分をドアパネルの一部として「ドアパネル」と呼称する場合があることを意味するものである。
【００１６】
ここで、上記括弧内の記号は、図面および後述する発明を実施するための形態に記載された対応要素または対応事項を示す。
【発明の効果】
【００１７】
本発明によれば、自動車のルーフ側のドアサッシュ又はドアパネルに沿って取付けられる上部押出成形部の端部に接続された型成形部に対して、ドアサッシュ又はドアパネルの垂直部に沿って取付けられる下部押出成形部を脱着可能に差し込むタイプとすることで、型成形部の基底部に型成形用の中芯取出し用のスリットを形成した場合にはスリットにより断絶することがないようにして、あるいは、型成形部の基底部に型成形用の中芯取出し用のスリットを形成しないようにして、その基底部の車内側から車外側に延びるようにシールビード又はリップを形成しさらにはドアサッシュ又はドアパネルの垂直部側に位置する型成形部の部位の車外側に沿って下降するようにしたので、シールビード又はリップはスリットによって分断されることなく連続的に延びる。  これによりドアの外周側から内周側に浸入しようする水は、シールビード又はリップの外周側に沿って下方に流されるので、車内側に水が侵入することは防止され、優れた防水機能が発揮される。またドアウェザーストリップとドアサッシュ又とドアパネルとの間のシール性を、特に別体で粘着性のあるテープ面を持った発泡シール材といった副資材を全く使用しなくても確保することができるので、製造コストを下げることができ、また、発泡シール材を手作業で貼り付ける工程がなくなるので、シール性にバラツキが生じ難くなるとともに製造時間も短縮する。
【００１８】
また、型成形部の基底部にスリットを形成しない場合には、従来例で示したように、スリットを部分的に接着させるための工数や接着剤は不要となり、また中芯を型成形部の端部から抜くことができるので型成形部内にブリッジを設定することも可能となる。
また、スリットを形成しない分、型成形部の基底部は形状的に安定するので、従来例（図１１）で示したように、型成形部の中空シール部がボディ側に弾接したときに中空シール部が車内側に潜り込んだり部分的に基底部側に落ち込むことが防止される。
【００１９】
また、本発明によれば、シールビード又はリップは、ドアサッシュ又はドアパネルの垂直部側に位置する型成形部の部位では、型成形部に差し込まれた下部押出成形部より外周側に形成されているので、型成形部の外周側から下部押出成形部側に水が浸入することが防止される。
また、シールビード又はリップは、型成形部の下端まで連続して延びるように設けられているので、シールビード又はリップを伝わって落下する水を車外に確実に排水することができる。
【００２０】
また、本発明によれば、型成形部においては、その角から上部押出成形部側に延びる長さよりも、角から下部押出成形部側に延びる長さの方を長くするようにしたので、基底部にスリットが設けられていない状態でも型成形用の中芯を円滑かつ容易に抜くことができる。また、これにより差し込みによって接続される下部押出成形部を型成形部内の広い範囲で重ね合わせるようにしたのでラップ量が多くなり、下部押出成形部は安定して保持される。
また、本発明によれば、型成形部においては、その中空シール部と基底部の間にブリッジを設けたので、従来例（図１１）で示したように、型成形部の中空シール部がボディ側に弾接したときに中空シール部が車内側に潜り込んだり部分的に基底部側に落ち込むことが一層防止される。
【図面の簡単な説明】
【００２１】
【図１】本発明の実施形態に係るドアウェザーストリップで分割した状態を示す拡大側面図である。
【図２】本発明の実施形態に係るドアウェザーストリップを示す、図８のＸ部における拡大斜視図である。
【図３】本発明の実施形態に係るドアウェザーストリップを示す、図８のＸ部における拡大斜視図であり、図２とは別の角度からみた図である。
【図４】図２のＢ−Ｂ線拡大断面図である。
【図５】図２のＣ−Ｃ線拡大断面図である。
【図６】本発明の実施形態に係る別のドアウェザーストリップを示す、図２のＢ−Ｂ線拡大断面図である。
【図７】車両を示す側面図である。
【図８】図７に記載のドアウェザーストリップを示す拡大側面図である。
【図９】従来例に係るドアウェザーストリップを示す、図８のＸ部における拡大斜視図である。
【図１０】図９のＡ−Ａ線拡大断面図である。
【図１１】従来例に係るドアウェザーストリップがドアサッシュに取付けられ、ボディパネルに弾接した状態を示す、図９のＡ−Ａ線拡大断面図である。
【図１２】本発明の実施形態に係る他のドアウェザーストリップを示す、図８のＸ部における拡大斜視図である。
【図１３】本発明の実施形態に係る他のドアウェザーストリップを示す、図８のＸ部における拡大斜視図である。
【図１４】本発明の実施形態に係る他のドアウェザーストリップを示す、図８のＸ部における拡大斜視図である。
【図１５】本発明の実施形態に係る他のドアウェザーストリップを示す、図８のＸ部における拡大斜視図であり、図３と同じ角度から見た図である。
【発明を実施するための形態】
【００２２】
図１乃至図５及び図７，図８を参照して、本発明の実施形態に係るドアウェザーストリップについて説明する。従来例で示したものと同一部分には同一符号を付した。
【００２３】
本発明の実施形態に係るドアウェザーストリップ６は、図１に示すように、分割タイプのドアウェザーストリップであり、ドアコーナー部Ｘにおいて、上部押出成形部７の端部に型成形部９の上端部が型成形接続されたものの型成形部９に対して、下部押出成形部８の上端部を脱着可能に差し込むようにしたものである。図１は、差し込まれる前の状態を示し、型成形部９に下部押出成形部８の上端部が差し込まれると、図８で示したように環状のドアウェザーストリップとなる。
上部押出成形部７は、自動車のルーフ側の（ルーフに対向する）ドアサッシュ３（ドアパネルの一部として呼称される場合もある）の上部に沿って取付けられ、また下部押出成形部８は、垂直方向に延びるセンターピラー側の（センターピラーに対向する）ドアサッシュ３の垂直部に沿って取付けられている。
下部押出成形部８の上端部は、図２に示すように、型成形部９内の角に形成された基底部１１の下端部から下側に向けて若干の隙間Ｍをあけた状態で、型成形部９側の中空シール部１２内に差し込まれている。この型成形部９側の中空シール部１２は、図５に示すように、型成形部９内の角に形成された基底部１１の下端部より下側において車内側に向けて膨出湾曲させることによって形成されていて、この中空シール部１２に下部押出成形部８の上端部が差し込まれてなる。このように隙間Ｍを設けたことにより下部押出成形部８の上端部の長さにバラツキが発生しても組付けできなくなることはない。
【００２４】
なお、図２は、ドアウェザーストリップ６がドアサッシュ３に取付けられときに車外側（取付面側）からみた図でありここでは下部押出成形部８を二点鎖線で示した。また、図３は、ドアウェザーストリップ６がドアサッシュ３に取付けられときに車内側からみた図である。また、図４，図５は、図２のＢ−Ｂ線拡大断面図，Ｃ−Ｃ線拡大断面図である。図５では型成形部９側の中空シール部１２（図５では、下部押出成形部８を覆う上側の中空シール部）内に差し込まれる下部押出成形部８を実線で示すとともに、型成形部９に形成されたヒレ片１４にあけられた孔に差し込まれ型成形部９をドアサッシュ３に取付けるクリップ１６についても実線で示した。
また、図２，図３においては、上部押出成形部７と型成形接続している型成形部９を示し、それに記載した二つの白黒三角印の黒側を型成形部９、白側を押出成形部（上部押出成形部７）としている。下部押出成形部８と型成形部９は型成形接続していない。
【００２５】
これら上部押出成形部７、型成形部９、及び下部押出成形部８はいずれも、基底部１１とその基底部１１に一体成形されるとともにフロントドア１の閉時にはボディパネル１００のドア開口周縁部に弾接して車内外をシールするメインシールとして機能する中空シール部１２を備えている。また、中空シール部１２の車外側かつ基底部１１の外方には、ボディパネル１００のドア開口周縁部に弾接して車内外をシールする補助シールとして機能するサブシール部１３が形成されている。
【００２６】
上部押出成形部７と型成形部９は互いに端部が突き合わされた状態で型成形接続されていて、図４に示す断面形状で、基底部１１，中空シール１２及びサブシール部１３は一連一体的に形成されている。また、型成形部９の中空シール部１２と基底部１１の間には、上部押出成形部７の断面形状と同様にブリッジ３１が設けられている。ブリッジ３１は、中空シール部１２とサブシール部１３の連結部と、中空シール部１２と基底部１１の車内側の連結部とを連結している。
図４に示した型成形部９における断面形状は、型成形部９の角から上部押出成形部７側に延びる端部までと、型成形部９の角から下側に距離Ｓ分程わずかに延びるまで略同一であり、基底部１１は略板状でその基底部１１に型成形用の中芯を取出すためのスリットは一切形成されていない
それより下側では基底部１１は形成されてなく、図５に示す断面形状のように、中空シール部１２だけが車内側に向けて膨出湾曲させられてなり、中空シール部１２の形状は袋状にされている。この袋状の部分では基底部１１が切欠かれた状態でありその分、取付面側が開口している。
【００２７】
また型成形部９の形状は、その角から上部押出成形部７側に延びる長さｍよりも、角から下部押出成形部８側に延びる長さｎの方が長くなるようにしてある。
【００２８】
そして、図２に示すように、型成形部９の車外側（取付面側）には取付時にドアサッシュ３に弾接するシールビード３０が型成形時に同時に一体成形されている。
シールビード３０は、ルーフ側に位置する型成形部９の基底部１１に対して車内側から車外側に延びさらにドアサッシュ３の垂直部側に位置する型成形部９の部位の車外側に沿って下降するように連続して延びている。より具体的には、シールビード３０は、型成形部９の上部押出成形部７側の端部付近の車内側から基底部１１上を斜めに、すなわち型成形部９の角側に接近する方向に斜めに車外側に延び、さらに型成形部９の角から外周側に向けて上側のクリップ用の孔Ｈの近くでその孔Ｈの内周側に沿って延び、さらにまた型成形部９のヒレ片１４の車外側に沿って下側のクリップ用の孔Ｈの近くでその孔Ｈの内周側に沿って下降するように連続的に形成されている。
またシールビード３０は、ドアサッシュ３の垂直部側に位置する型成形部９の部位では、型成形部９に差し込まれた下部押出成形部８より外周側に形成され、しかも型成形状９の下端まで連続して延びるように形成されている。
【００２９】
なお、シールビード３０を設ける位置は種々考えられ、特に限定されるものではないが、少なくとも型成形部９のルーフ側上部において、基底部１１を車内側から車外側に横断するように延びた後、型成形部９の車外側でかつ外周側に向けて延びて下降するように連続的に切れ目なく延びるものであればよい。
また、上部押出成形部７の基底部にもドアサッシュ３に弾接するシールビード（図示しない）があり、型成形部９のルーフ側上部のシールビード３０と接続部にて連続に接続されていることが好ましく、これによりルーフ側上部の水はドアコーナー部Ｘ沿いに外へ排出される。
【００３０】
以上のように構成されたドアウェザーストリップ６によれば、上部押出成形部７の端部に接続された型成形部９に対して下部押出成形部８を脱着可能に差し込むタイプとすることで、型成形部９の基底部１１に型成形用の中芯取出し用のスリットを形成しないようにし、その基底部１１の車内側から車外側に基底部１１を横断して延びるようにシールビード３０を形成し、さらにはドアサッシュ３の垂直部側に位置する型成形部９の部位の車外側に沿って下降するようにしたので、シールビード３０はスリットによって分断されることなく連続的に延びる。
これによりドア１の外周側から内周側に浸入しようする水は、シールビード３０の外周側に沿って下方に流されるので、車内側に水が侵入することは防止され、優れた防水機能が発揮される。
【００３１】
また、シールビード３０は、ドアサッシュ３の垂直部側に位置する型成形部９の部位では、型成形部９に差し込まれた下部押出成形部８より外周側に形成されているので、型成形部９の外周側から下部押出成形部８側に水が浸入することが防止される。
また、シールビード３０は、型成形部９の下端まで連続して延びるように設けられているので、シールビード３０を伝わって落下する水を車外に確実に排水することができる。
【００３２】
また、型成形部９においては、その角から上部押出成形部７側に延びる長さｍよりも、その角から下部押出成形部８側に延びる長さｎの方を長くするようにしたので、基底部１１にスリットが設けられていない状態でも型成形用の中芯を円滑かつ容易に抜くことができる。また、これにより下部押出成形部８を型成形部９内の広い範囲で重ね合わせるようにしたのでラップ量が多くなり、下部押出成形部９が安定して保持される。
また、型成形部９においては、その中空シール部１２と基底部１１の間にブリッジ３１を設けたので、従来例（図１１）で示したように、型成形部９の中空シール部１２がボディパネル１００に弾接したときに中空シール部１２が車内側に潜り込んだり部分的に基底部１１側に落ち込むことが一層防止される。
【００３３】
なお、本実施形態に係るドアウェザーストリップ６は、型成形部９の基底部１１に型成形用の中芯取出し用のスリットを一切形成しないようにし、その基底部１１の車内側から車外側に基底部１１を横断して延びるようにシールビード３０を形成したが、図１２乃至図１４に示すように、基底部１１に対して部分的にスリット３２〜３５を、それらスリット３２〜３５によってシールビード３０を断絶することがないようにそれぞれ設けるようにしてもよい。
【００３４】
図１２では、型成形部９の基底部１１において、その角から下部押出成形部８側に延びる面の全体と、前記角から上部押出成形部７側に僅かに延びるように、略Ｌ字状に連続したスリット３２が設けられ、中芯を取出すために使用される。また、型成形部９と上部押出成形部７の接続位置の型成形部９側にも短いスリット３３が設けられ、型成形部９に対する上部押出成形部７の突き当て時の位置決め用に使用される。なお、スリット３３について省略することもできる。
そして、シールビード３０は、スリット３２とスリット３３の間の基底部１１において車内側から車外側に横断して延びるように形成されている。
【００３５】
また、図１３では、中芯を取出すために使用されるスリット３４は、型成形部９の基底部１１において、その角から下部押出成形部８側に延びる面の全体のみに略直線状に設けられている。なお、図１２の場合と同様に位置決め用の短いスリット３３が設けられているが省略可能である。
そして、シールビード３０は、スリット３３とスリット３４の間の基底部１１において車内側から車外側に横断して延びるように形成されている。
【００３６】
さらに、図１４では、中芯を取出すために使用されるスリット３５は、型成形部９の基底部１１の縦方向の長さの１／２程度であり、縦方向の略半分（略中間）の位置より下側のみに略直線状に設けられている。なお、図１２の場合と同様に位置決め用の短いスリット３３が設けられているが省略可能である。
そして、シールビード３０は、スリット３３とスリット３５の間のルーフ側の基底部１１において車内側から車外側に横断して延びるように形成されている。
【００３７】
また、本実施形態に係るドアウェザーストリップ６では、型成形部９にシールビード３０を連続的に一体成形したが、これにかえてリップを連続的に一体成形させたものであってもよい。
また、これらシールビード３０又はリップは、ドアウェザーストリップ６がドア１に取付けられ、その型成形部９がクリップ１６で取付けられると、クリップ孔Ｈ又はクリップ１６の近隣で内周側にシールビード３０又はリップが位置するため、これらは強くドアサッシュ３又はドアパネルに当接し、良好なシール性が得られる。
また、本実施形態では、クリップ１６を用いたがこれに替えて両面テープを用いてもよい。この場合はクリップ孔Ｈと同様の箇所へ短長なテープを部分的に貼ってもよく又はクリップ孔Ｈ間を連続させてテープを貼ってもよい。
また、型成形部９においては上部押出成形部７と同様の断面として、中空シール部１２と基底部１１の間にブリッジ３１を設けて弾接時の中空シール部１２の変形を抑えるようにしたが、図６に示すように、特にブリッジ３１を設けない構造としてもよい。つまり、ブリッジ３１を設けない構造であっても基底部１１には、従来例で示したようなスリットによる空間部はないので、従来例と比較した場合、中空シール部１２の変形を抑えることができる。
【００３８】
また、図１５のように、型成形部９の中空シール部１２の下端部に段差Ｄを設けると中空シール部１２の表面を伝って車内側へ侵入する水の浸入を防止できる。段差Ｄは中空シール部１２の稜線Ｐを横断して設けてあり、稜線Ｐよりも車内側に対して車外側が下方向に向けて突出するように段差Ｄを形成してその形状を変化させている。これにより、中空シール部１２の表面を伝って落ちる水は段差Ｄに導かれて車外側へ排水される。
【００３９】
また、本実施形態に係るドアウェザーストリップ６は、フロントドア１側に取付けられたものを例にして説明したが、これに限られるものではなく、リアドア２側に取付けられたものであってもよい。
【符号の説明】
【００４０】
１      フロントドア
２      リヤドア
３，４  ドアサッシュ
６      ドアウェザーストリップ
７      上部押出成形部
８      下部押出成形部
９      型成形部
１１      基底部
１２      中空シール部
１３      サブシール部
１４      ヒレ片
１５      スリット
１６      クリップ
３０      シールビード
３１      ブリッジ
３２〜３５    スリット
１００      ボディパネル
Ｄ      段差
Ｈ      クリップ孔
Ｍ      隙間
Ｐ      稜線
Ｘ      ドアコーナー部
【図１】
2014061875.tif 000003
【図２】
2014061875.tif 000004
【図３】
2014061875.tif 000005
【図４】
2014061875.tif 000006
【図５】
2014061875.tif 000007
【図６】
2014061875.tif 000008
【図７】
2014061875.tif 000009
【図８】
2014061875.tif 000010
【図９】
2014061875.tif 000011
【図１０】
2014061875.tif 000012
【図１１】
2014061875.tif 000013
【図１２】
2014061875.tif 000014
【図１３】
2014061875.tif 000015
【図１４】
2014061875.tif 000016
【図１５】
2014061875.tif 000017